(57)【特許請求の範囲】
【請求項１】
受皿部本体と蓋体とを有し、化粧料を収容した化粧料用中皿を前記受皿部本体の凹部に装着して用いられるコンパクト容器において、
前記蓋体を閉じた際の蓋体の内側面と、前記凹部に装着された前記化粧料用中皿の上端面又は収容された前記化粧料の上端面との間には、１．０〜２．０ｍｍよりも小さい間隔の隙間が生じるようになっており、
前記隙間を埋めるクッションプレート部材を備えており、
前記クッションプレート部材は、１．０〜２．０ｍｍの厚さの圧縮変形可能な弾性を備える平板状部材であって、前記凹部の開口縁部に沿ってこれの内側にはめ込み可能な平面形状を有していると共に、前記蓋体の内側面に取付けられる鏡と前記受皿部本体の上面との間に介在して設けられる仕切シートの下面に接合されているコンパクト容器。
【請求項２】
前記クッションプレート部材は、前記凹部の上端の開口縁部の内側にはめ込まれることで、前記仕切シートを位置決めすると共に、前記蓋体を閉じると弾性圧縮した状態で前記隙間を埋める請求項１記載のコンパクト容器。
【請求項３】
前記受皿部本体の上面には、小物入れ部と前記凹部とが並んで開口形成されており、前記仕切シートは、前記小物入れ部と前記凹部とを同時に覆う位置に位置決めされる請求項１又は２に記載のコンパクト容器。
【請求項４】
前記凹部の開口縁部に沿って、周縁ガイドリブが設けられている請求項１〜３のいずれか１項に記載のコンパクト容器。
【発明の詳細な説明】
【０００１】
【発明の属する技術分野】
本発明は、化粧料を収容したコンパクト容器に関する。
【０００２】
【従来の技術及び発明が解決しようとする課題】
コンパクト容器は、ファンデーション、頬紅、アイシャドウ、口紅等の化粧料を収容する容器である。コンパクト容器は、化粧料用の容器として美観に富んだ外観を有すると共に、取り扱いやすいコンパクトな形状を有する。またコンパクト容器は、受皿部本体と蓋体とからなり、化粧料を充填収容した化粧料用中皿を受皿部本体の凹部に装着して用いられる。
【０００３】
一方、化粧料は、化粧料用中皿に充填しプレスすることによって当該化粧料用中皿に成形された状態で充填収容されるが、コンパクト容器の携帯時等に外力による衝撃を受けると、ひび割れが生じたり、化粧料用中皿から脱落したりする場合がある。特に、化粧料用中皿が着脱可能な嵌合形式で装着されるコンパクト容器では、外部より受ける衝撃が緩和されることなく中皿に伝達されるため、化粧料にひび割れや脱落の生じる可能性が高くなる。
【０００４】
本発明は、外部から衝撃を受けた場合でも、内部に装着された化粧料用中皿に収容した化粧料にひび割れや脱落が生じるのを効果的に回避することのできるコンパクト容器の提供を目的とする。
【０００５】
【課題を解決するための手段】
本発明は、受皿部本体と蓋体とを有し、化粧料を収容した化粧料用中皿を前記受皿部本体の凹部に装着して用いられるコンパクト容器において、前記蓋体を閉じた際の蓋体の内側面と、前記化粧料用中皿の上端面又は収容された前記化粧料の上端面との間の隙間を埋めるクッションプレート部材を備えるコンパクト容器を提供することにより、上記目的を達成したものである。
【０００６】
本発明のコンパクト容器によれば、蓋体を閉じた際の蓋体の内側面と、化粧料用中皿の上端面又はこれに収容された化粧料の上端面との間の隙間を埋めるクッションプレート部材を備えるので、凹部の内部における化粧料用中皿のがたつきを防止する共に、クッションプレート部材の弾性によるクッション効果によって外部から受ける衝撃を吸収して当該衝撃が化粧料用中皿に収容された化粧料に伝わるのを抑制し、これらによって化粧料にひび割れや脱落が生じるのを効果的に回避する。
【０００７】
【発明の実施の形態】
本発明の好ましい実施形態に係るコンパクト容器１０は、図１に示すように、受皿部本体１１とこの受皿部本体１１の縁部にヒンジ結合された蓋体１２とからなり、化粧料１３として例えば粉末化粧料であるファンデーションを充填収容した化粧料用中皿１４を、受皿部本体１１の凹嵌部１５に装着して用いられるものである。
【０００８】
また、本実施形態のコンパクト容器１０は、蓋体１２の内側面に取付けられる鏡１６と受皿部本体１１の上面との間に介在して設けられる、蓋体１２を閉じた際に化粧料１３が鏡１６に付着するのを防止するための仕切シート１７を有している。そしてこの仕切シート１７の下面には、蓋体１２を閉じた際の蓋体１２の内側面と、化粧料用中皿１４の上端面及びこれに充填収容された化粧料１３の上端面との間の隙間１８（図４参照）を埋めるクッションプレート部材１９が一体として接合されている。
【０００９】
本実施形態によれば、コンパクト容器１０を構成する受皿部本体１１は、短辺７０ｍｍ程度、長辺１００ｍｍ程度の略矩形の平面形状を有する厚さ１１ｍｍ程度の大きさのプラスチック製の受け皿部分であって、この受皿部本体１１の上面には、パフ２０等の小物を収容する小物入れ部２１と、化粧料用中皿１４が装着される凹嵌部１５が並んで開口形成されている。小物入れ部２１と凹嵌部１５とを並べて形成することにより、コンパクト容器１０を薄くすることができる。
【００１０】
凹嵌部１５は、短辺４６ｍｍ程度、長辺５４ｍｍ程度の略矩形の平面形状を有する厚さ８．５ｍｍ程度の大きさの嵌合穴であり、またこの凹嵌部１５の開口縁部に沿って、０．５ｍｍ程度の高さの周縁ガイドリブ２２が設けられている。さらに、凹嵌部１５の内側側壁面には、凹嵌部１５に装着される化粧料用中皿１４を着脱可能に係止固定する公知の係着部材２３（図３，図４参照）が設けられている。
【００１１】
凹嵌部１５に装着される化粧料用中皿１４は、短辺４５ｍｍ程度、長辺５３ｍｍ程度の略矩形の平面形状を有する厚さ７．５ｍｍ程度のプラスチック製の皿容器であって、凹嵌部１５よりやや小さい外周形状を備える。化粧料用中皿１４は、その外側側壁面に形成された係着溝２４（図３，図４参照）に凹嵌部１５の係着部材２３を係止することにより、当該凹嵌部１５に装着固定され、かかる装着状態において、その上端面が、周縁ガイドリブ２２の上端よりも１ｍｍ程度下方に位置することになる。また化粧料用中皿１４の内側収容部凹部には、粉末化粧料１３であるファンデーションがプレス成形された状態で充填収容され、その上端面が化粧料用中皿１４の上端面と略面一になっている。
【００１２】
また、本実施形態によれば、コンパクト容器１０を構成する蓋体１２は、短辺７０ｍｍ程度、長辺１００ｍｍ程度の略矩形の平面形状を有する厚さ６ｍｍ程度の大きさの上面が湾曲面となったプラスチック製の平板状蓋部材である。この蓋体１２は、受皿部本体１１の一方の長辺部分の縁部にヒンジ部２５を介して回転可能にヒンジ結合されており、コンパクト容器１０を開閉することができるようになっている。また蓋体１２のヒンジ部２５と反対側の長辺部分には、蓋係止用の係止片２６が設けられており、この係止片２６を受皿部本体１１の他方の長辺部分に設けられた蓋係止部材２７に着脱可能に係止することにより、蓋体１２を閉じたり開いたりすることができるようになっている。蓋体１２の内側面には鏡１６が取付けられており、蓋体１２を閉じた状態では、蓋体１２の内側面を構成する当該鏡１６と、凹嵌部１５に装着固定された化粧料用中皿１４の上端面や化粧料１３の上端面との間には隙間１８が生じていることになる。
【００１３】
蓋体１２の内側面に取付けられる鏡１６と受皿部本体１１の上面との間に介在して設けられる仕切シート１７は、例えば厚さ０．１ｍｍ程度の着色又は印刷された半透明なプラスチックフィルムからなり、小物入れ部２１と凹嵌部１５とを一体として覆い得る大きさの短辺５４．５ｍｍ程度、長辺９１ｍｍ程度の略矩形の平面形状を有している。なお、仕切シート１７として、着色フィルムを用いる必要は必ずしもないが、着色フィルムを用いることにより、受皿部本体１１の上面に載置される仕切シート１７の識別を容易に行うことができる。そして、仕切シート１７の下面の略半分の領域に、図２にも示すように、クッションプレート部材１９が一体として接合される。
【００１４】
クッションプレート部材１９は、例えばポリエチレンからなる発泡樹脂材料によって形成された１．５ｍｍ程度の厚さの平板状部材であって、蓋体１２を閉じる際の押圧力によって容易に圧縮変形可能な弾性を備えている。また、クッションプレート部材１９は粘着剤等の接着手段によって仕切シート１７に接合一体化されており、またその下面は、例えばポリプロピレンからなる薄い透明フィルムによって覆われていて、クッションプレート部材１９によって化粧料用中皿１４の上端面を押圧した際に化粧料１３がクッションプレート部材１９に付着するのを防止している。
【００１５】
クッションプレート部材１９は、凹嵌部１５の平面形状よりも僅かに小さな、短辺４５．５ｍｍ程度、長辺５３．５ｍｍ程度の当該凹嵌部１５の開口縁部に沿った平面形状を有していることにより、凹嵌部１５の上端開口及び周縁ガイドリブ２２の内側に容易にはめ込まれる。またクッションプレート部材１９は、当該上端開口及び周縁ガイドリブ２２により位置決めされて、その下面周縁部分が凹嵌部１５に装着された化粧料用中皿１４の上端面に載置される。さらにクッションプレート部材１９は、仕切シート１７と一体となることにより１．６ｍｍ程度の厚さとなり、蓋体１２を閉じた際の蓋体１２の内側面を構成する鏡１６と、化粧料用中皿１４の上端面及びこれに充填収容された化粧料１３の上端面との間の隙間１８の厚さよりも大きくなっている。したがってクッションプレート部材１９は、弾性圧縮した状態で隙間１８を埋めることになる（図３，図４参照）。また、クッションプレート部材１９は、好ましくは例えば１．０〜２．０ｍｍ程度の厚さのものを使用することができる。ただし、クッションプレート部材１９には、化粧料の塗布時に使用するパフは含まれない。
【００１６】
なお、クッションプレート部材１９は、ポリエチレン以外にも発泡ウレタン等その他の樹脂からなる各種の発泡樹脂材料を用いて形成できる他、ゴムやエラストマー樹脂等の、蓋体１２を閉じる際の押圧力によって容易に圧縮変形可能な弾性を備える、その他の種々の材料を用いて形成することができる。
【００１７】
本実施形態のコンパクト容器１０によれば、図３に示すように、蓋体１２を閉じる際に、蓋体１２の内側面に取付けられる鏡１６と受皿部本体１１の上面との間に介在させて、クッションプレート部材１９を接合一体化した仕切シート１７を配設する。ここで、クッションプレート部材１９は、凹嵌部１５の開口縁部に沿った平面形状を有しているので、周縁ガイドリブ２２をガイドとして当該クッションプレート部材１９を凹嵌部１５の上端開口の内側に容易にはめ込むことができ、これによって仕切シート１７は、小物入れ部２１と凹嵌部１５とを同時に覆う位置にスムースに位置決めされる。
【００１８】
そして、コンパクト容器１０の蓋体１２を閉じると、図４に示すように、仕切シート１７と一体となったクッションプレート部材１９は、その厚さが鏡１６と化粧料用中皿１４の上端面及び化粧料１３の上端面との間の隙間１８の厚さよりも大きくなっているので、クッションプレート部材１９はその弾性により圧縮変形して、下面の周縁部分を化粧料用中皿１４の上端面に当接させ、当該周縁部分の内側部分を、当該化粧料用中皿１４の上端面と略面一に充填収容された化粧料１３の上端面に当接させた状態で、隙間１８を埋めることになる。
【００１９】
従って、本実施形態のコンパクト容器１０によれば、鏡１６と化粧料用中皿１４の上端面との隙間１８を埋めたクッションプレート部材１９によって、凹嵌部１５の内部における化粧料用中皿１４のがたつきを防止できる共に、クッションプレート部材１９の弾性によるクッション効果によって、外部から受ける衝撃を吸収して化粧料用中皿１４に収容された化粧料１３に伝わるのを抑制し、これらによって化粧料１３にひび割れや脱落が生じるのを効果的に回避することが可能になる。
【００２０】
また本実施形態によれば、クッションプレート部材１９の内側部分によって、鏡１６と化粧料１３の上端面との間の隙間１８をも同時に埋めることができるので、外部から受ける衝撃をさらに効果的に吸収して化粧料１３に伝わるのを抑制し、化粧料１３にひび割れや脱落が生じるのをさらに効果的に回避することが可能になる。
【００２１】
なお、本発明は上記実施形態に限定されることなく、種々の変更が可能である。例えば、本発明のコンパクト容器によれば、クッションプレート部材は、仕切シートと接合して用いる必要は必ずしもなく、別部材として用いることもできる。また仕切シートを介在させる必要は必ずしもない。また、クッションプレート部材は、蓋体の内側面と化粧料用中皿の上端面及び化粧料の上端面との双方の隙間を埋めるように配設する必要は必ずしもなく、蓋体の内側面と化粧料用中皿の上端面との隙間のみを埋めるように、或いは蓋体の内側面と化粧料の上端面との隙間のみを埋めるようにクッションプレート部材を配設することもできる。さらに、本発明は、化粧料用中皿を凹嵌部に着脱可能に装着する嵌合形式のコンパクト容器に限定されることなく、ホットメルト等を介した接着手段により化粧料用中皿を凹部に装着固定する形式のコンパクト容器にも使用することができ、平面形状が矩形以外の例えば円形のコンパクト容器にも使用することもできる。さらにまた、本発明のコンパクト容器に収容される化粧料は、ファンデーションに限定されることなく、頬紅、アイシャドウ、口紅等のその他の種々の化粧料でも良く、また粉末化粧料をプレスして充填収容する場合の他、流し込みにより化粧料を成形収容したものでも良い。
【００２２】
【発明の効果】
本発明のコンパクト容器によれば、外部から衝撃を受けた場合でも、内部に装着された化粧料用中皿に収容した化粧料にひび割れや脱落が生じるのを効果的に回避することができる。
【図面の簡単な説明】
【図１】本発明の一実施形態に係るコンパクト容器を示す斜視図である。
【図２】図１のＡ−Ａに沿った、クッションプレート部材を接合した仕切シートの断面図である。
【図３】蓋体を開いた状態を説明する、図１のＢ−Ｂに沿った断面図である。
【図４】蓋体を閉じた状態を説明する、図１のＢ−Ｂに沿った断面図である。
【符号の説明】
１０  コンパクト容器
１１  受皿部本体
１２  蓋体
１３  化粧料
１４  化粧料用中皿
１５  凹嵌部（凹部）
１６  鏡
１７  仕切シート
１８  隙間
１９  クッションプレート部材
２１  小物入れ部
２２  周縁ガイドリブ
２５  ヒンジ部
【図１】
0004683738.tif 000002
【図２】
0004683738.tif 000003
【図３】
0004683738.tif 000004
【図４】
0004683738.tif 000005